(57)【要約】    【課題】  ＳＤＴＶ映像信号からアップコンバートされた有効映像のアスペクト比が４：３のＨＤＴＶ映像信号を検出し、自動的に有効映像をアスペクト比１６：９に伸張することを目的とする。    【解決手段】  入力されたＨＤＴＶ映像信号に左右マスク部分があるか否かを判定する判定手段と、前記判定手段の結果に基づいてＳＤＴＶ映像のアスペクト比の領域の有効映像をＨＤＴＶ映像のアスペクト比の映像に伸張する映像伸張手段を具備し、前記判定の結果がマスク部分である場合にＳＤＴＶ映像のアスペクト比の領域の有効映像をＨＤＴＶ映像のアスペクト比の映像に伸張して出力する。【選択図】    図１
2006287506.tif 000002
【特許請求の範囲】
【請求項１】
入力されたＨＤＴＶ映像信号に左右マスク部分があるか否かを判定する判定手段と、前記判定手段の結果に基づいてＳＤＴＶ映像のアスペクト比の領域の有効映像をＨＤＴＶ映像のアスペクト比の映像に伸張する映像伸張手段を具備し、前記判定の結果がマスク部分である場合にＳＤＴＶ映像のアスペクト比の領域の有効映像をＨＤＴＶ映像のアスペクト比の映像に伸張して出力することを特徴とするＨＤＴＶ表示装置。
【請求項２】
判定手段は、余剰部分の領域のフレーム間の差分により左右マスク部分があるか否かを判定するようにしたことを特徴とする請求項１記載のＨＤＴＶ表示装置。
【請求項３】
判定手段は、左右マスク部分があると判定する差分に多少の幅を持たせ、また、一定期間の複数の比較結果に基づいて判定を行うことを特徴とする請求項１記載のＨＤＴＶ表示装置。
【発明の詳細な説明】
【技術分野】
【０００１】
本発明は、ＨＤＴＶなどの映像表示装置に関するもので、アスペクト比の異なるＳＤＴＶ(Standard-Definition TeleVision、例えばＮＴＳＣ)などの映像信号からコンバートした映像を表示する際に、表示装置のアスペクト比と映像の有効映像部分のアスペクト比が相違する場合に有効映像部分を伸張して表示するＨＤＴＶ表示装置に関するものである。
【背景技術】
【０００２】
ＨＤＴＶ(１０３５ｉ、１０８０ｉ)表示装置は、当然のことながら、通常はアスペクト比１６：９のＨＤＴＶ映像信号を受信し、または入力されて高精細な映像を表示する。しかし、ＨＤＴＶは、普及途上にあり、ＳＤＴＶと並行して放送が行われている現在では、ＨＤＴＶカメラで撮影された、または作成された映像だけではなく、ＳＤＴＶ用に撮影または作成されたアスペクト比４：３の映像信号をアップコンバートすることによりアスペクト比１６：９のＨＤＴＶ映像信号として放送する場合も多くある。
【０００３】
ＳＤＴＶ用の映像信号をＨＤＴＶ用の映像信号へアップコンバートする際には、アスペクト比の違いを映像の伸張などにより補填する場合と、映像そのものは伸張せずに有効映像をアスペクト比４：３のままで、左右の有効映像範囲外の余剰部分をグレーや青等のマスキング(無映像)部分とする場合がある。マスキング部分とする場合には、図３に示すように、この部分に放送局名やロゴ１０などが入る場合もある。
ＨＤＴＶの画面の有効ドット数は、図３に示すように、横１９２０ドット×縦１０８０ドットで、縦を１０８０ドットに固定してＳＤＴＶ映像の横幅を単純に計算すると、１４４０ドットであり、前記マスキング部分は、２４０ドットとなる。
【特許文献１】特開２００３−２１９３２０号公報
【発明の開示】
【発明が解決しようとする課題】
【０００４】
左右の余剰部分をマスキング部分としてアップコンバートした映像をＨＤＴＶ表示装置で表示することが多い場合、マスキング部分は常に均一で固定的な発色をしているために、発色が常に変化している有効映像部分と比べて異なる劣化を起こし、マスキング部分と映像部分とで異なる着色や退色を起こして、明確な境界ができてしまうという問題があった。俗に言うディスプレイ装置の焼き付き現象である。この焼き付き現象は、アップコンバートしたＨＤＴＶ用の映像だけではなく、ＳＤＴＶ用の映像を伸張などの処理をせずに表示した場合にも起こる現象である。
【０００５】
ＨＤＴＶ表示装置でＳＤＴＶ用の映像信号により映像を表示する場合には、受信または入力されている映像信号の形態から、すなわち水平同期周波数や垂直同期周波数、ドットクロック等からＳＤＴＶ信号であることが容易に判別でき、自動的に映像を伸張して前述のような問題点を解決することができる。しかしながら、有効映像範囲のアスペクト比が４：３であって、ＨＤＴＶ信号にアップコンバートされた映像信号を受信または入力された場合は、映像信号からは信号の形態などからＨＤＴＶ信号と判別するため、基本的には映像を伸張する必要がないので、対処されていないという問題があった。
【０００６】
本発明は、以上のような問題点に鑑み、ＨＤＴＶ信号による映像表示の場合に、有効映像範囲のアスペクト比が１６：９であるか否かを判別し、１６：９でない場合に有効映像範囲を自動的に１６：９のアスペクト比に伸張して表示するようにしたＨＤＴＶ表示装置を提供することにある。
【課題を解決するための手段】
【０００７】
本発明の請求項１は、入力されたＨＤＴＶ映像信号に左右マスク部分があるか否かを判定する判定手段と、前記判定手段の結果に基づいてＳＤＴＶ映像のアスペクト比の領域の有効映像をＨＤＴＶ映像のアスペクト比の映像に伸張する映像伸張手段を具備し、前記判定の結果がマスク部分である場合にＳＤＴＶ映像のアスペクト比の領域の有効映像をＨＤＴＶ映像のアスペクト比の映像に伸張して出力することを特徴とするＨＤＴＶ表示装置である。
【発明の効果】
【０００８】
本願の発明によれば、ＳＤＴＶの有効映像の範囲のアスペクト比４：３をそのまま残してＨＤＴＶのアスペクト比１６：９の映像信号にアップコンバートされた映像信号を表示する際にも、アスペクト比の相違による余剰部分の無映像を検出し、有効映像部分を伸張
して画面全体に映像を表示することで画面を有効に活用することができ、また焼き付き現象を無くすことができる。
【発明を実施するための最良の形態】
【０００９】
本発明によるＨＤＴＶ表示装置おける有効映像の伸張装置は、ＳＤＴＶ映像とＨＤＴＶ映像とのアスペクト比の差分の領域の映像信号を記憶する記憶手段と、前記記憶手段に記憶された映像信号が無映像であるか否かを判定する判定手段と、前記判定手段の結果に基づいてＳＤＴＶ映像のアスペクト比の領域の有効映像をＨＤＴＶ映像のアスペクト比の映像に伸張する映像伸張手段を具備し、前記記憶手段に記憶された差分の領域の映像信号が無映像信号である場合にＳＤＴＶ映像のアスペクト比の領域の有効映像をＨＤＴＶ映像のアスペクト比の映像に伸張して出力するものである。
以下、本発明の実施の形態を図面に基づいて詳細に説明を行う。
【実施例１】
【００１０】
図１は、本発明のＨＤＴＶ表示装置における有効映像の伸張装置部分のブロック図である。
１は入力されたアナログのＨＤＴＶ映像信号をデジタル信号に変換するＡ／Ｄコンバータであり、このＡ／Ｄコンバータ１の映像出力は、マスキング部分に相当する画像データを記憶するＶＲＡＭ３および４とスケーラー処理部８へ入力されている。また、Ａ／Ｄコンバータ１のドットクロック出力が、タイミング生成回路２に入力され、このタイミング生成回路２のタイミング出力は、前記ＶＲＡＭ３および４に入力されている。
前記ＶＲＡＭ３および４は、比較器５に接続され、この比較器５の比較信号は判定ブロック６に入力されている。判定ブロック６の判定信号は、制御ＭＰＵ７に入力され、制御ＭＰＵ７の制御出力が、前記スケーラー処理部８に入力されている。
【００１１】
次に、以上の構成による装置の動作を説明する。
Ａ／Ｄコンバータ１は、入力されたＹ、Ｐｂ、Ｐｒのアナログ映像信号をデジタル映像信号に変換してスケーラー処理部８とＶＲＡＭ３および４に出力するとともに、タイミング生成回路２にドットクロック信号を出力する。タイミング生成回路２は、入力されたドットクロック信号に基づいて、図２に示すアスペクト比４：３に相当する有効映像範囲の左右の余剰部分を示すタイミング信号をＶＲＡＭ３および４に出力する。
【００１２】
ＶＲＡＭ３および４は、タイミング生成回路２からのタイミング信号により、Ａ／Ｄコンバータ１からのデジタル映像信号のうち、アスペクト比４：３に相当する有効映像範囲の左右の余剰部分の映像信号のみをそれぞれ記憶する。ＶＲＡＭ３および４に記憶された余剰部分の映像信号は、比較器５で比較されてフレーム間の差分が検出され、判定ブロック６に入力される。判定ブロック６は、基本的には、比較器５で検出された差分が０のとき余剰部分を無映像と判定するが、ノイズ等の影響により完全に０にならないことも多いと考えられるので、ある程度の幅をもって無映像と判定する。また、前後の２つのフレーム間だけではなく、ある一定期間、例えば５フレームとか１０フレームの期間をもってして無映像であるか否かを判定する。
【００１３】
判定ブロック６は、判定結果を制御ＭＰＵ７に出力し、制御ＭＰＵ７は、判定結果に基づいてスケーラー処理部８を制御する。スケーラー処理部８は、制御ＭＰＵ７の制御により、余剰部分が無映像である場合には、Ａ／Ｄコンバータ１から入力した映像信号のアスペクト比４：３の有効映像範囲を、画面全体のアスペクト比１６：９に伸張した映像信号に変換して出力する。余剰部分が有効映像である場合には、Ａ／Ｄコンバータ１から入力した映像信号をそのままスルー出力する。
【図面の簡単な説明】
【００１４】
【図１】本発明によるＨＤＴＶ表示装置おける有効映像の伸張装置の部分のブロック図である。
【図２】本発明の有効映像の伸張のイメージを示す説明図である。
【図３】ＨＤＴＶ映像とＳＤＴＶ映像のアスペクト比の差を示す説明図である。
【符号の説明】
【００１５】
１…Ａ／Ｄコンバータ、２…タイミング生成回路、３、４…ＶＲＡＭ、５…比較器、６…判定ブロック、７…制御ＭＰＵ、８…スケーラー処理部。
【図１】
2006287506.tif 000003
【図２】
2006287506.tif 000004
【図３】
2006287506.tif 000005